(57)【要約】【課題】ユーザが高度なスキルを備えていない者であっても容易に制御用アプリケーションデータの書き換えが可能な制御システムを実現する。【解決手段】本発明のビル管理システム１は、２つの初期設定エディタ装置１０ａ・１０ｂとプログラマブル表示器２０とを備え、プログラマブル表示器２０は、初期設定エディタ装置１０ａ・日常設定エディタ装置１０ｂと通信可能に接続され画面データ５０に基づいてデバイス４０を制御する。画面データ５０は、デバイス４０のアドレスを示すアドレスデータ５１と、デバイス４０の動作スケジュールを示すスケジュールデータ５２とを含み、アドレスデータ５１を編集するアドレスデータ編集部１４は初期設定エディタ装置１０ａに設けられ、スケジュールデータ５２を編集するスケジュールデータ編集部１５は日常設定エディタ装置１０ｂに設けられる。【選択図】図１
2010039829.tif 000002
【特許請求の範囲】
【請求項１】
２つのエディタ装置と制御用表示装置とを備え、
前記制御用表示装置は、前記各エディタ装置と通信可能に接続され、制御用アプリケーションデータに基づいて制御対象機器を制御し、
前記制御用アプリケーションデータは、前記制御対象機器を設置または変更する場合にのみ編集が必要な設定内容を示す初期設定データと、前記初期設定データ以外の日常設定データとを含み、
前記初期設定データを編集する初期設定データ編集手段と、前記日常設定データを編集する日常設定データ編集手段とが、異なるエディタ装置に設けられており、
前記初期設定データには、前記制御対象機器を識別するためのコメントデータが含まれており、
前記コメントデータが、前記日常設定データ編集手段が設けられているエディタ装置に送られ、
前記日常設定データ編集手段は、前記コメントデータを用いて前記日常設定データを編集することを特徴とする制御システム。
【請求項２】
前記初期設定データは、前記制御対象機器のアドレスを示すアドレスデータを含み、
前記日常設定データは、前記制御対象機器の動作スケジュールを示すスケジュールデータを含むことを特徴とする請求項１に記載の制御システム。
【請求項３】
前記日常設定データの編集時には、前記コメントデータが表示されることを特徴とする請求項１または２に記載の制御システム。
【請求項４】
前記日常設定データは、オンライン書き換え可能であることを特徴とする請求項１から３のいずれか１項に記載の制御システム。
【請求項５】
請求項１から４のいずれか１項に記載の前記日常設定データ編集手段としてコンピュータを動作させるプログラム。
【請求項６】
請求項５に記載のプログラムを記録したコンピュータ読み取り可能な記録媒体。
【発明の詳細な説明】
【技術分野】
【０００１】
本発明は、制御対象機器を制御する制御システムに関し、特にビルの設備を管理するビル管理システムに関するものである。
【背景技術】
【０００２】
図５は、従来のビル管理システム１０１の構成を示すブロック図である。ビル管理システム１０１は、ビルの設備である照明機器や空調機器などのデバイス４０を制御するためのシステムであり、エディタ装置１１０、プログラマブル表示器１２０およびプログラマブル・ロジック・コントローラ（ＰＬＣ）３０を備えている。
【０００３】
エディタ装置１１０は、汎用のパーソナルコンピュータであり、プログラマブル表示器１２０を機能させるための画面データ（制御用アプリケーションデータ）５０を作成・編集する機能を有している。具体的には、エディタ装置１１０は、画面データ編集部１１、記憶部１２およびインターフェース（Ｉ／Ｆ）部１３を有している。
【０００４】
Ｉ／Ｆ部１３は、プログラマブル表示器１２０との間の通信を行うための通信制御部であり、ネットワーク６に接続されている。画面データ編集部１１は、画面データ５０を作成・編集するための機能ブロックであり、各種デバイス（例えば、照明機器、空調機器、ボイラー）の描画機能、テキスト入力機能などを有している。画面データ５０は、画面上の領域への表示に対応するデバイス４０のアドレスと画面上の領域との対応関係を示すタグを組み合わせて構成されている。作成・編集された画面データ５０は、記憶部１２に保存されるとともに、Ｉ／Ｆ部１３からネットワーク１０６を介してプログラマブル表示器１２０に転送される。
【０００５】
プログラマブル表示器１２０は、ＣＰＵなどの演算処理装置を備えており、エディタ装置１１０によってユーザが作成した画面データ５０に基づいて、特有の操作機能および表示機能を実現する専用コンピュータである。プログラマブル表示器１２０は、ＨＭＩ制御部２１、ディスプレイ２２、タッチパネル２３、記憶部２４、およびインターフェース（Ｉ／Ｆ）部２５・２６を備えている。
【０００６】
ＨＭＩ制御部２１は、記憶部２４に記憶されている画面データ５０を実行することによって実現される機能ブロックである。プログラマブル表示器１２０は、Ｉ／Ｆ部２５を介してエディタ装置１１０に通信可能に接続されるとともに、Ｉ／Ｆ部２５を介してＰＬＣ３０と通信することにより、ＰＬＣ３０を介して各デバイス４０の状態を取得し、その状態をディスプレイ２２に表示する。さらに、プログラマブル表示器１２０は、ユーザによるタッチパネル２３への操作に応じて、デバイス４０の状態制御をＰＬＣ３０に指示する。
【０００７】
実際のビル管理システム１０１の運用においては、デバイス４０を設置または変更する際に、ビルの施工業者が、画面データ編集部１１を用いて画面データ５０を作成・編集する。画面データ５０は、デバイス４０のアドレスを示すアドレスデータ５１と、デバイス４０の動作スケジュールを示すスケジュールデータ５２とを含んでいる。画面データ５０の作成・編集では、主にアドレスデータ５１の編集が行われる。具体的には、デバイス４０のアドレス設定やラダー図を用いた制御プログラムの作成が行われる。
【０００８】
その後デバイス４０を動作管理する段階では、主にビルの管理人が、画面データ編集部１１を用いてスケジュールデータ５２の編集を行う。具体的には、アドレスに関連付けられたデバイス４０の動作スケジュールの設定・変更を行う。
【０００９】
画面データ編集部１１によってスケジュールデータ５２の編集を行う場合、図６に示すような、デバイス４０のアドレスおよび動作開始・終了時刻の動作スケジュール一覧Ｔ１０１を表示させる。ここで、所望のデバイス４０に対応するアドレスが「LS1003」である場合、当該アドレスが表示されている行を選択すると、図７に示すタイムスケジュール設定ウィンドウＷ１０１が表示され、タイムスケジュール設定ウィンドウＷ１０１において開始時刻および終了時刻を設定することができる。
【００１０】
しかしながら、ビルの管理人は、コンピュータの操作に不慣れな年配者等である場合が多いため、アドレスの概念を把握していない者も多い。このため、画面データ編集部１１によってデバイス４０の動作スケジュールを正確に設定・変更することは容易ではなかった。
【００１１】
そこで、ラダー図にカレンダやタイムチャートなどの図表を表示することで、ラダープログラムにカレンダタイマ機能やウィークリタイマ機能を容易に設定できる技術が提案されている（例えば、特許文献１参照）。
【特許文献１】特開２００５−８５０７６号公報（２００５年３月３１日公開）
【発明の開示】
【発明が解決しようとする課題】
【００１２】
しかしながら、特許文献１に記載の技術においても、ラダープログラムの編集にはある程度のスキルが必要であるため、ビルの管理人にとってデバイスの動作スケジュール設定は容易ではない。
【００１３】
また、画面データ編集部１１によってデバイス４０の動作スケジュールの設定・変更を行う場合、画面データ５０の設定項目は動作スケジュールの設定・変更の他にも多数あるため、図６に示す動作スケジュール一覧Ｔ１０１を表示させるだけでも、所定の操作手順が必要となる。このように、コンピュータの操作に不慣れな者にとって、画面データ編集部１１による設定操作が複雑であるため、画面データ５０を正確に編集するのは容易ではない。このため、動作スケジュールの設定を誤り、デバイス４０が誤動作してしまうという不都合を招来しやすい。
【００１４】
本発明は、上記の問題点に鑑みてなされたものであり、その目的は、ユーザが高度なスキルを備えていない者であっても容易に制御用アプリケーションデータの書き換えが可能な制御システムを実現することにある。
【課題を解決するための手段】
【００１５】
本発明に係る制御システムは、上記課題を解決するために、２つのエディタ装置と制御用表示装置とを備え、前記制御用表示装置は、前記各エディタ装置と通信可能に接続され、制御用アプリケーションデータに基づいて制御対象機器を制御し、前記制御用アプリケーションデータは、前記制御対象機器を設置または変更する場合にのみ編集が必要な設定内容を示す初期設定データと、前記初期設定データ以外の日常設定データとを含み、前記初期設定データを編集する初期設定データ編集手段と、前記日常設定データを編集する日常設定データ編集手段とが、異なるエディタ装置に設けられており、前記初期設定データには、前記制御対象機器を識別するためのコメントデータが含まれており、前記コメントデータが、前記日常設定データ編集手段が設けられているエディタ装置に送られ、前記日常設定データ編集手段は、前記コメントデータを用いて前記日常設定データを編集することを特徴としている。
【００１６】
制御システムにおいて、制御対象機器の設置・変更以外の通常時は、制御対象機器の管理のために、制御用アプリケーションデータのうち日常設定データの編集が行われるが、通常時の制御対象機器の管理は、高度なスキルを備えていない者によって行われる場合が多い。
【００１７】
上記の構成によれば、２つのエディタ装置の一方には、初期設定データ編集手段が設けられ、他方には日常設定データ編集手段が設けられる。ここで、初期設定データの編集は制御対象機器のアドレス設定等であるので、高度なスキルを要するのに対し、日常設定データの編集は制御対象機器の動作スケジュール設定等であるので、高度なスキルを要しない。日常設定データ編集手段は、日常設定データの編集に機能を限定しているので、日常設定データ編集手段が設けられているエディタ装置は、高度なスキルを備えていない者であっても容易に日常設定データの編集を行うことができる。
【００１８】
さらに、日常設定データ編集手段は、制御対象機器を識別するためのコメントデータを用いて日常設定データを編集するように構成されている。コメントデータは、例えば、制御対象機器の名称等であるので、ユーザは直感的に日常設定データを編集することができる。
【００１９】
したがって、日常設定データ編集手段が設けられているエディタ装置を、通常時の制御対象機器の管理に用いることにより、ユーザが高度なスキルを備えていない者であっても容易に制御用アプリケーションデータの書き換えが可能な制御システムを実現できるという効果を奏する。
【００２０】
本発明に係る制御システムでは、前記初期設定データは、前記制御対象機器のアドレスを示すアドレスデータを含み、前記日常設定データは、前記制御対象機器の動作スケジュールを示すスケジュールデータを含んでもよい。
【００２１】
本発明に係る制御システムでは、前記日常設定データの編集時には、前記コメントデータが表示されることが好ましい。
【００２２】
上記の構成によれば、日常設定データの編集時に、制御対象機器の名称等のコメント情報が表示されるので、ユーザがコメント情報とアドレスとの対応関係を把握していなくても、容易に日常設定データの編集を行うことができる。
【００２３】
本発明に係る制御システムでは、前記日常設定データは、オンライン書き換え可能であることが好ましい。
【００２４】
上記の構成によれば、日常設定データの書き換え時に、制御対象機器の制御を中断させる必要がないので、制御システムの運用に支障をきたさない。
【００２５】
本発明に係るプログラムは、上記いずれかの構成の日常設定データ編集手段としてコンピュータを動作させるプログラムであり、本発明に係る記録媒体には、当該プログラムが記録されている。
【発明の効果】
【００２６】
本発明に係る制御システムは、以上のように、２つのエディタ装置と制御用表示装置とを備え、前記制御用表示装置は、前記各エディタ装置と通信可能に接続され、制御用アプリケーションデータに基づいて制御対象機器を制御し、前記制御用アプリケーションデータは、前記制御対象機器を設置または変更する場合にのみ編集が必要な設定内容を示す初期設定データと、前記初期設定データ以外の日常設定データとを含み、前記初期設定データを編集する初期設定データ編集手段と、前記日常設定データを編集する日常設定データ編集手段とが、異なるエディタ装置に設けられており、前記初期設定データには、前記制御対象機器を識別するためのコメントデータが含まれており、前記コメントデータが、前記日常設定データ編集手段が設けられているエディタ装置に送られ、前記日常設定データ編集手段は、前記コメントデータを用いて前記日常設定データを編集するので、ユーザが高度なスキルを備えていない者であっても容易に制御用アプリケーションデータの書き換えが可能な制御システムを実現できるという効果を奏する。
【００２７】
すなわち、たとえば１６進数であらわされるデバイスのアドレスは、スキル・知識の高いユーザが操作する初期設定データ編集手段により設定される。そして、デバイスを識別するためのコメントデータも初期設定データ編集手段により設定される。コメントデータは、日常設定データ編集手段に送られ、日常設定データ編集手段のユーザはコメントを参照しながら、デバイスの動作スケジュールを編集することができる。したがって日常設定データ編集手段のユーザは、装置のアドレスを用いずにデバイスを特定し、特定したデバイスの動作スケジュールを設定することができる。
【００２８】
つまり、日常設定データ編集手段のユーザは、アドレスを用いずに日常用いられる装置名、時間、曜日などの用語を用いてデバイスの動作スケジュールを設定することができるので、日常設定データ編集手段のユーザには高いスキルは要求されない。また、高いスキルのない日常設定データ編集手段のユーザが誤ってアドレスを編集することがないという効果を奏する。
【発明を実施するための最良の形態】
【００２９】
本発明の一実施形態について図１〜図４に基づいて説明すると以下の通りである。
【００３０】
図１は、本実施形態に係るビル管理システム１の構成を示すブロック図である。ビル管理システム１は、図６に示すビル管理システム１０１と同様、ビル内の照明機器や空調機器などのデバイス４０を制御するためのシステムであり、２つの初期設定エディタ装置１０ａ、日常設定エディタ装置１０ｂ、プログラマブル表示器２０およびＰＬＣ３０を備えている。初期設定エディタ装置１０ａ、日常設定エディタ装置１０ｂおよびプログラマブル表示器２０のハードウェアとしての構成は、ビル管理システム１０１のエディタ装置１１０およびプログラマブル表示器１２０とそれぞれ略同様である。
【００３１】
初期設定エディタ装置１０ａは、主にデバイス４０を設置または変更する際にビルの施工業者が操作し、日常設定エディタ装置１０ｂは、主にデバイス４０の動作スケジュールを管理する際にビルの管理人が操作する。すなわち、初期設定エディタ装置１０ａと日常設定エディタ装置１０ｂとは、操作するユーザが異なっているのが通常であるが、もちろん同一のユーザにより操作されてもよい。
【００３２】
初期設定エディタ装置１０ａは、図６に示すエディタ装置１１０において、画面データ編集部１１の代わりにアドレスデータ編集部１４を有する構成である。アドレスデータ編集部１４は、図６に示す画面データ編集部１１が有する機能のうち、アドレスデータ５１を編集する機能を有する機能ブロックである。通常は、ビルの施工業者が初期設定エディタ装置１０ａを操作して、ビルに設置された各デバイス４０のアドレス（プログラマブル表示器２０およびＰＬＣ３０によりデバイス４０の制御を行うためのアドレス）を設定する。これに対し、デバイス４０の動作スケジュールの設定は、ビルの管理人の業務であるため、初期設定エディタ装置１０ａでは、スケジュールデータ５２の編集は行われない。なお、各デバイス４０のアドレスは、たとえば１６進数の数字で表されるもので、直感的な理解は困難であり、各デバイス４０のアドレスを設定するには知識・スキルが必要であるため、アドレスの設定は施工業者によって行われる。
【００３３】
初期設定エディタ装置１０ａにおいて作成・編集された画面データ５０（アドレスデータ５１及びスケジュールデータ５２を含む）は、ネットワーク６を介してプログラマブル表示器２０に転送される。なお、ネットワーク６を用いずに、記憶部１２に記憶されている画面データ５０をコンピュータ読み取り可能な記録媒体に格納して、当該記録媒体からプログラマブル表示器２０に転送してもよい。
【００３４】
プログラマブル表示器２０に転送された画面データ５０は、記憶部２４に格納される。ここで、記憶部２４は、アドレスデータ記憶部２４１とスケジュールデータ記憶部２４２とを有しており、画面データ５０のうちアドレスデータ５１は、アドレスデータ記憶部２４１に格納され、後に詳述するスケジュールデータ５２は、スケジュールデータ記憶部２４２に格納される。なお、スケジュールデータ５２は後述する日常設定エディタ１０ｂで設定されるまではデータとしては空である。
【００３５】
そして、スケジュールデータ５２および後述するコメント情報（コメントデータ）が、プログラマブル表示器２０から日常設定エディタ装置１０ｂに転送される。すなわち、アドレスデータ５１は日常設定エディタ装置１０ｂには転送されない。日常設定エディタ装置１０ｂは、図６に示すエディタ装置１１０において、画面データ編集部１１の代わりにスケジュールデータ編集部１５を有する構成である。スケジュールデータ編集部１５は、図６に示す画面データ編集部１１が有する機能のうち、スケジュールデータ５２を編集する機能を有する機能ブロックである。
【００３６】
本実施形態では、アドレスデータ５１の編集時に、デバイス４０の名称などデバイスを識別するために必要な各種情報（たとえば、デバイスの名称、デバイスのある階数や部屋名、さらには部屋の前側、後側などの部屋内での位置）を表すコメント情報が各デバイス４０毎に関連付けられて生成されている。スケジュールデータ編集部１５によるスケジュールデータ５２の編集時に、上記コメント情報が編集画面に表示される。これによりユーザは、デバイス４０のアドレスを把握しなくてもデバイスの名称や位置などデバイスを識別する情報を知ることができるので、動作スケジュールの設定が容易になる。
【００３７】
さらに、スケジュールデータ編集部１５の機能は、デバイス４０の動作スケジュールの設定に限定されており、曜日、時間、装置名等の日常的に用いられている用語で設定可能であるので、コンピュータの操作に不慣れな者でも、容易に操作できる。
【００３８】
スケジュールデータ編集部１５を起動させると、図２に示すスケジュール設定画面が表示される。スケジュール設定画面は、基本データ設定画面とカレンダ設定画面とで構成されており、図２では、基本データ設定画面が表示されている。
【００３９】
基本データ設定画面は、日時選択欄Ｔ１とデバイス一覧Ｔ２とを含んでいる。日時選択欄Ｔ１では、デバイス４０のグループごとに日時を選択することができる。デバイス４０のグループとしては、照明のグループ、空調のグループ、ボイラーのグループ、シャッターのグループ等があり、図２は、空調グループの平日９時における各デバイスのスケジュールが選択された状態を示している。ここで、デバイス一覧Ｔ２において「ＯＮ」「ＯＦＦ」を選択することにより、その日時におけるデバイスの動作ＯＮ／ＯＦＦを決定することができる。
【００４０】
日時選択欄Ｔ１には、各デバイスの動作予定が変更される時刻のみ表示される。すなわち、表示されている各時刻においては、グループ内の少なくとも１つのデバイスの動作ＯＮ／ＯＦＦが切り替えられる。なお、時刻の追加も適宜行うことができる。
【００４１】
また、デバイス一覧Ｔ２では、図６に示す動作スケジュール一覧Ｔ１０１のようにデバイスのアドレスが表示される代わりに、デバイスのコメント情報が左欄に表示されるので、ユーザがデバイスの名称等とアドレスとの対応関係を把握していなくても、容易にデバイスの動作スケジュールを把握できる。したがって、動作スケジュールの設定対象を誤ることによるデバイスの誤動作といった不都合を回避できる。
【００４２】
なお、デバイス４０とコメント情報との関連付けは、初期設定エディタ装置１０ａにおけるアドレスデータ５１の編集時に、図３に示すアドレス設定画面において、アドレスに対応するデバイス４０の名称をコメント欄に入力することによって行う。
【００４３】
また、日時選択欄Ｔ１では、平日以外のスケジュールも設定できるように、「休日」や「特日」を選択することができる。例えば、土曜日を「休日１」、日曜日を「休日２」に設定し、平日、土曜日、日曜日のいずれとも異なるスケジュールとなる日を「特日」に設定する。これらの設定は、図４に示すカレンダ設定画面において行う。
【００４４】
このように、スケジュールデータ編集部１５は、デバイス４０の動作スケジュールの設定のみを行うので、用いる用語は、曜日、時間、装置名等でよく、日常設定エディタ装置１０ｂのユーザがコンピュータの操作に不慣れな者であっても、容易にデバイス４０の動作スケジュールを設定することができる。すなわち、操作に高度なスキルを必要とするアドレスデータ編集部１４と、操作に高度なスキルを必要としないスケジュールデータ編集部１５とが、それぞれ異なるエディタ装置１０ａ・１０ｂに設けられているため、スケジュールデータ編集部１５が設けられている日常設定エディタ装置１０ｂのユーザのスキルが低い場合であっても、デバイス４０の動作スケジュールを設定することができる。さらには日常設定エディタ装置１０ｂの操作者が、誤ってデバイス４０のアドレス、すなわち知識・スキルが必要な情報を変更してしまうことがない。
【００４５】
日常設定エディタ装置１０ｂにおいて編集されたスケジュールデータ５２は、再度プログラマブル表示器２０に転送されて、記憶部２４に格納されているスケジュールデータ５２のみが書き換えられる。アドレスデータ５１は、デバイス４０の設置または変更時以外は、書き換えられることがないため、ビル管理システム１の通常運用時には、スケジュールデータ５２のみが編集される。
【００４６】
ここで、記憶部２４では、アドレスデータ記憶部２４１とスケジュールデータ記憶部２４２とは同じ領域に、各グループ毎に、規則をもって割り当てられている。そして、スケジュールデータを日常設定エディタ装置１０ｂに送る場合、上記の規則にしたがって割り当てられた所定の部分のデータを日常設定エディタ装置１０ｂに送るようになっている。
【００４７】
また、図５に示す従来のビル管理システム１０１では、エディタ装置１１０において編集された画面データ５０をプログラマブル表示器１２０に転送すると、記憶部２４では画面データ５０全体を書き換えていた。このため、画面データ５０の書き換えは、書き換え時にＨＭＩ制御部２１を一旦終了させる必要のあるオフライン書き換えのみ可能であった。
【００４８】
これに対し、本実施形態に係るビル管理システム１では、書き換えられるデータがスケジュールデータ５２のみであるため、オンライン書き換えが可能となっている。すなわち、ＨＭＩ制御部２１を起動させながらスケジュールデータ５２を書き換えることができるので、通常の運用に支障なくデバイス４０を管理できる。
【００４９】
なお、日常設定エディタ装置１０ｂの各ブロック、特にスケジュールデータ編集部１５は、ハードウェアロジックによって構成してもよいし、次のようにＣＰＵを用いてソフトウェアによって実現してもよい。
【００５０】
すなわち、日常設定エディタ装置１０ｂは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである日常設定エディタ装置１０ｂの制御プログラムのプログラムコード（実行形式プログラム、中間コードプログラム、ソースプログラム）をコンピュータで読み取り可能に記録した記録媒体を、上記日常設定エディタ装置１０ｂに供給し、そのコンピュータ（またはＣＰＵやＭＰＵ）が記録媒体に記録されているプログラムコードを読み出し実行することによっても、達成可能である。
【００５１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５２】
また日常設定エディタ装置１０ｂを通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５４】
本発明は、ビルの設備を管理するビル管理システムに好適に適用できる。
【図面の簡単な説明】
【００５５】
【図１】本発明の実施形態に係るビル管理システムの構成を示すブロック図である。
【図２】図１に示すビル管理システムにおいて、スケジュールデータの編集時に表示される基本データ設定画面の一例を示す図である。
【図３】デバイスとコメント情報との関連付けを行うためのアドレス設定画面を示す図である。
【図４】スケジュールデータの編集時に表示されるカレンダ設定画面を示す図である。
【図５】従来のビル管理システムの構成を示すブロック図である。
【図６】図５に示すビル管理システムにおいて、画面データの編集時に表示される動作スケジュール一覧を示す図である。
【図７】画面データの編集時に表示されるタイムスケジュール設定ウィンドウを示す図である。
【符号の説明】
【００５６】
１    ビル管理システム（制御システム）
１０ａ・１０ｂ  エディタ装置
１４  アドレスデータ編集部（初期設定データ編集手段）
１５  スケジュールデータ編集部（日常設定データ編集手段）
２０  プログラマブル表示器（制御用表示装置）
４０  デバイス（制御対象機器）
５０  画面データ（制御用アプリケーションデータ）
５１  アドレスデータ（初期設定データ）
５２  スケジュールデータ（日常設定データ）
【図１】
2010039829.tif 000003
【図２】
2010039829.tif 000004
【図３】
2010039829.tif 000005
【図４】
2010039829.tif 000006
【図５】
2010039829.tif 000007
【図６】
2010039829.tif 000008
【図７】
2010039829.tif 000009